(57)【要約】【課題】アーム１２，１３やカメラヘッド１６を折り畳んで保管するとき、あるいは運搬するときに基台１１の上面に設けたモニターディスプレイ１７が傷つくのを防止でき、かつコンパクトな形態に折り畳むことができる書画カメラ１０を提供する。上方からでも、側方からでも見やすいモニターディスプレイ１７を備えた書画カメラ１０を提供する。【解決手段】第１アーム１２と第２アーム１３及びカメラヘッド１６を折り畳んだとき、第１アーム１２と第２アーム１３及びカメラヘッド１６が基台１１の上面の内に収まるように形状、寸法が定められているので、書画カメラ１０をコンパクトに折り畳むことができる。第１アーム１２と第２アーム１３及びカメラヘッド１６を折り畳んだとき、第１アーム１２でモニターディスプレイ１７が略覆われるので、第１アーム１２がモニターディスプレイ１７のカバーとして機能する。そのため、保管するときや、運搬するときにモニターディスプレイ１７が傷つくのを防止できる。【選択図】図８
2020085978.tif 000002
【特許請求の範囲】
【請求項１】
基台の上面にモニターディスプレイを設け、
基台の右端部又は左端部に第１軸を介して第１アームを基台の上面に倒伏する倒伏位置と、基台の右端部または左端部から起立する起立位置との間で左右方向へ回動可能に基台に組み付け、
第１アームの先端部に第２軸を介して第２アームを第１アームに倒伏する倒伏位置と、第１アームから起立する起立位置との間で左右方向へ回動可能に組み付け、
第２アームの先端部に第３軸を介してカメラヘッドを第２アームに倒伏する倒伏位置と、第２アームから起立する位置との間で左右方向へ回動可能に組み付け、
使用しないとき、第１アームと第２アーム及びカメラヘッドをそれぞれ倒伏位置に倒して折り畳み、
使用するときは第１アームと第２アーム及びカメラヘッドをそれぞれ起立位置へ起立させるようにした書画カメラであって、
第１アームと第２アーム及びカメラヘッドをそれぞれ倒伏位置に倒して折り畳んだとき、第１アームと第２アーム及びカメラヘッドが基台の上面の内に収まり、
かつ第１アームによってモニターディスプレイが略覆われるようにしたことを特徴とする書画カメラ。
【請求項２】
第１アームに第２アームが倒伏して格納される第２アーム用格納凹部を形成し、
第２アームにカメラヘッドが倒伏して格納されるカメラヘッド用格納凹部を形成し、
第２アーム用格納凹部に第２アームを格納するとともにカメラヘッド用格納凹部にカメラヘッドを格納したとき、第１アームの上面と第２アームの上面及びカメラヘッドの上面が略面一になるようにしたことを特徴とする請求項１に記載の書画カメラ。
【請求項３】
基台にモニターディスプレイを格納するためのモニターディスプレイ用格納凹部を形成し、
モニターディスプレイをモニターディスプレイ用格納凹部に倒伏する倒伏位置とモニターディスプレイ用格納凹部から起立する起立位置との間で前後方向に回動可能に基台に組み付け、
モニターディスプレイをモニターディスプレイ用格納凹部に倒したとき、モニターディスプレイと基台の上面が略面一になるようにしたことを特徴とする請求項１に記載の書画カメラ。
【請求項４】
倒伏位置にある第１アームと第２アーム及びカメラヘッドを、それぞれ起立位置へもたらすとき、カメラヘッドを持ち上げるとカメラヘッドと第２アーム及び第１アームが拡開することを特徴とする請求項１に記載の書画カメラ。
【請求項５】
前記第３軸を介して第３アームを第２アームに左右方向へ回動可能に組み付けるとともに、第４軸を介してカメラヘッドを基台の設置面と平行な面内で回動可能に第３アームに組み付けたことを特徴とする請求項１に記載の書画カメラ。
【請求項６】
第６軸を介して第１アームを基台と平行な面内で回転可能に基台に組み付けたことを特徴とする請求項１に記載の書画カメラ。
【請求項７】
第４軸を介して第４アームを第３アームに基台と平行な面内で回動可能に組み付け、第４軸に直交する第５軸を介してカメラヘッドを基台の設置面と垂直な面内で回転可能に第４アームに組み付けたことを特徴とする請求項５に記載の書画カメラ。
【発明の詳細な説明】
【技術分野】
【０００１】
本発明は書画カメラに関し、より詳しくは電源スイッチ、撮像レンズの焦点距離を調整するズーミングスイッチ、撮像レンズの焦点調整を行うオートフォーカススイッチ等の各種操作スイッチ類を配置した操作部を備えた基台にアームを回動可能に組み付け、アームの先端部にカメラヘッドを設け、基台の設置面に置いた書類や模型等の資料、あるいは基台の周辺領域をカメラヘッドで撮像し、その画像をモニターテレビ、ビデオプロジェクター、スマートフォン等で再生する書画カメラに関する。
【背景技術】
【０００２】
この種の書画カメラの一形式として、特開２０１６−２１９９３１号公報には、操作部を設けた基台の上面にモニターディスプレイを設け、撮像した画像をモニターディスプレイで確認できる書画カメラが開示されている。
この書画カメラでは、第１アームが基台の側面に重なり合う重畳位置と、基台の側面から起立する起立位置との間で左右方向へ回動可能に基台に組み付けられ、第２アームが第１アームに重なり合う重畳位置と第１アームから起立する位置との間で回動可能に第１アームの先端部に組み付けられ、カメラヘッドが第２アームに直交する軸を介して回転可能に第２アームの先端部に組み付けられている。
【０００３】
この書画カメラは、使用しないとき第１アームを基台の側面に重ね合わせ、さらに第２を第１アームに重ね合わせることができる。また、カメラヘッドを基台の前端面に重ね合わせることができるので、コンパクトな形態に折り畳むことができ、保管や運搬に便利である。
【先行技術文献】
【特許文献】
【０００４】
【特許文献１】特開２０１６−２１９９３１号公報
【発明の概要】
【発明が解決しようとする課題】
【０００５】
上記した従来の書画カメラは、折り畳んで保管するときや、運搬するとき、ディスプレイが基台の上面に露出しているので、モニターティスプレイが傷つき易い。
また、この書画カメラでは、モニターディスプレイが基台の上面と略面一に設けられているので、上方からは見易いものの、側方からは見難い。
さらにまた、この書画カメラでは、第１アームと第２アーム及びカメラヘッドが基台の側面や前面に重なり合うように折りたたまれるので、縦横の幅寸法が大きくならざるを得ない。
本発明は上記問題点に鑑みてなされたものであり、アームやカメラヘッドを折り畳んで保管するとき、あるいは運搬するときに基台の上面に設けたモニターディスプレイが傷つくのを防止でき、かつコンパクトな形態に折り畳むことができる書画カメラを提供することを目的とする。
また、上方からでも、側方からでも見やすいモニターディスプレイを備えた書画カメラを提供することを目的とする。
さらにまた、操作性に優れた書画カメラを提供することを目的とする。
【課題を解決するための手段】
【０００６】
請求項１に記載の発明は、
基台の上面にモニターディスプレイを設け、
基台の右端部又は左端部に第１軸を介して第１アームを基台の上面に倒伏する倒伏位置と、基台の右端部または左端部から起立する起立位置との間で左右方向へ回動可能に基台に組み付け、
第１アームの先端部に第２軸を介して第２アームを第１アームに倒伏する倒伏位置と、第１アームから起立する起立位置との間で左右方向へ回動可能に組み付け、
第２アームの先端部に第３軸を介してカメラヘッドを第２アームに倒伏する倒伏位置と、第２アームから起立する位置との間で左右方向へ回動可能に組み付け、
使用しないとき、第１アームと第２アーム及びカメラヘッドをそれぞれ倒伏位置に倒して折り畳み、
使用するときは第１アームと第２アーム及びカメラヘッドをそれぞれ起立位置へ起立させるようにした書画カメラであって、
第１アームと第２アーム及びカメラヘッドをそれぞれ倒伏位置に倒して折り畳んだとき、第１アームと第２アーム及びカメラヘッドが基台の上面の内に収まり、
かつ第１アームによってモニターディスプレイが略覆われるようにしたことを特徴とする。
【０００７】
請求項２に記載の発明は、請求項１に記載の書画カメラにおいて、
第１アームに第２アームが倒伏して格納される第２アーム用格納凹部を形成し、
第２アームにカメラヘッドが倒伏して格納されるカメラヘッド用格納凹部を形成し、
第２アーム用格納凹部に第２アームを格納するとともにカメラヘッド用格納凹部にカメラヘッドを格納したとき、第１アームの上面と第２アームの上面及びカメラヘッドの上面が略面一になるようにしたことを特徴とする。
【０００８】
請求項３に記載の発明は、請求項１に記載の書画カメラにおいて、
基台にモニターディスプレイを格納するためのモニターディスプレイ用格納凹部を形成し、
モニターディスプレイをモニターディスプレイ用格納凹部に倒伏する倒伏位置とモニターディスプレイ用格納凹部から起立する起立位置との間で前後方向に回動可能に基台に組み付け、
モニターディスプレイをモニターディスプレイ用格納凹部に倒したとき、モニターディスプレイと基台の上面が略面一になるようにしたことを特徴とする。
【０００９】
請求項４に記載の発明は、請求項１に記載の書画カメラにおいて、
倒伏位置にある第１アームと第２アーム及びカメラヘッドを、それぞれ起立位置へもたらすとき、カメラヘッドを持ち上げるとカメラヘッドと第２アーム及び第１アームが拡開することを特徴とする。
【００１０】
請求項５に記載の発明は、請求項１に記載の書画カメラにおいて、
前記第３軸を介して第３アームを第２アームに左右方向へ回動可能に組み付けるとともに、第４軸を介してカメラヘッドを基台の設置面と平行な面内で回動可能に第３アームに組み付けたことを特徴とする。
【００１１】
請求項６に記載の発明は、請求項１に記載の書画カメラにおいて、
第６軸を介して第１アームを基台と平行な面内で回転可能に基台に組み付けたことを特徴とする。
【００１２】
請求項７に記載の発明は、請求項５に記載の書画カメラにおいて、第４軸を介して第４アームを第３アームに基台と平行な面内で回動可能に組み付け、第４軸に直交する第５軸を介してカメラヘッドを基台の設置面と垂直な面内で回転可能に第４アームに組み付けたことを特徴とする。
【発明の効果】
【００１３】
請求項１に記載の発明によれば、第１アームと第２アーム及びカメラヘッドを折り畳んだとき、第１アームと第２アーム及びカメラヘッドが基台の外周縁部内に収まるので、書画カメラをコンパクトに折り畳むことができる。
また、第１アームと第２アーム及びカメラヘッドを折り畳んだとき、第１アームでモニターディスプレイが略覆われるので、第１アームがモニターディスプレイのカバーとして機能する。そのため、保管するときや、運搬するときにモニターディスプレイが傷つくのを第１アームによって防止できる。
【００１４】
請求項２に記載の発明によれば、第１アームと第２アーム及びカメラヘッドを折り畳んだとき、第１アームの上面と第２アームの上面及びカメラヘッドの上面が略面一になるので、一層コンパクトに書画カメラを折り畳むことができる。
【００１５】
請求項３に記載の発明によれば、モニターディスプレイを基台と略面一な位置から起立させて、基台に立てることができるので、モニターディスプレイを側方からも見易くセットできる。
【００１６】
請求項４に記載の発明によれば、カメラヘッドを持ち上げるとカメラヘッドと第２アーム及び第１アームが拡開するので、簡単、迅速に書画カメラを使用状態にセットでき、使い勝手が良い。
【００１７】
請求項５に記載の発明によれば、カメラヘッドを基台の設置面と平行な面内で回転させることができるので、基台の周辺領域を撮影するうえで、使い勝手が良くなる。
【００１８】
請求項６に記載の発明によれば、第１アームを基台と平行な面内で回転できるので、撮影領域が広くなり、より使い勝手が向上する。
【００１９】
請求項７に記載の発明によれば、カメラヘッドを基台の設置面と垂直な面内で回転させることができるので、より使い勝手が向上する。
【図面の簡単な説明】
【００２０】
【図１】本発明の実施例に係る書画カメラの折り畳んだ形態を示す斜視図である。
【図２】同書画カメラの折り畳んだ形態から使用形態へ移行する途中の一形態を示す斜視図である。
【図３】同書画カメラの折り畳んだ形態から使用形態へ移行する途中の一形態を示す斜視図である。
【図４】同書画カメラの折り畳んだ形態から使用形態へ移行する途中の一形態を示す斜視図である。
【図５】同書画カメラの折り畳んだ形態から使用形態へ移行する途中の一形態を示す斜視図である。
【図６】同書画カメラの折り畳んだ形態から使用形態へ移行する途中の一形態を示す斜視図である。
【図７】同書画カメラの使用形態を示す斜視図である。
【図８】同書画カメラの他の使用形態を示す斜視図である。
【図９】同書画カメラの他の使用形態を示す斜視図である。
【図１０】同書画カメラの他の使用形態を示す斜視図である。
【実施例】
【００２１】
以下に本発明を図面に基づき説明するに、図１〜図１０には、本発明の実施例に係る書画カメラ１０が示されている。当該書画カメラ１０は基台１１、第１アーム１２、第２アーム１３、第３アーム１４、第４アーム１５及びカメラヘッド１６を備えている。
基台１１は、略長方形の平面形状を有する扁平な箱体であって上面にモニターディスプレイ１７が設けられている。基台１１の上面の前端部には電源スイッチ１１ａ、撮像レンズの焦点距離を調整するズーミングスイッチ１１ｂ、撮像レンズの焦点調整を行うオートフォーカススイッチ１１ｃ等の各種操作スイッチ類を供えた操作部１１ｄが設けられている。基台１１の前側側面には電源端子１１ｅや、モニターテレビ等との接続端子１１ｆが設けられている。
【００２２】
第１アーム１２は前後一対の支柱１２ａと底面カバー１２ｂ及び両支柱の基端部を連結するベース部１２ｃから成り、両支柱１２ａとベース部１２ｃ及び底面カバー１２ｂにより、第２アーム１３を格納するための第２アーム用格納凹部１２ｄ（図３参照）が区画形成されている。
第１アーム１２のベース部１２ｃには、軸心Ａを有する第１軸と軸心Ｂを有する第６軸が内蔵されている。第１アーム１２は、軸心Ａにより、基台１１に左右方向へ回動可能に組み付けられるとともに、軸心Ｂによって図８の矢印Ｇに示すように、基台１１の上面と平行な面内で回転可能に基台１１に組み付けられている。また、第１アーム１２は基台１１の右端部寄りでかつ、後端部寄りの部位に設けられている。
【００２３】
第２アーム１３は前後一対の支柱１３ａと両支柱１３ａの基端部を連結するベース部１３ｂから成り、両支柱１３ａとベース部１３ｂにより、第３アーム１４、第４アーム１５及びカメラヘッド１６を格納するためのカメラヘッド用格納凹部１３ｃが区画形成されている。
第２アーム１３のベース部１３ｂには軸心Ｃを有する第２軸が内蔵されている。第２アーム１３のベース部１３ｂは第１アーム１２の両支柱１２ａの先端部に組み付けられている。第２アーム１３は軸心Ｃを有する第２軸により第１アーム１２の先端部に左右方向へ回動可能に組み付けられている。
【００２４】
第３アーム１４は軸心Ｄを有する第３軸を基端部１４ａに内蔵している。第３アーム１４はこの第３軸によって第２アーム１３の先端部に左右方向へ回動可能に組み付けられている。
第４アーム１５は軸心Ｅを有する第４軸を基端部１５ａに内蔵している。第４アーム１５はこの第４軸によって第３アーム１４の先端部に図８の矢印Ｈで示すように、基台１１の設置面と平行な面内で前後方向へ回動可能に組み付けられている。
カメラヘッド１６は軸心Ｆを有する第５軸を基端部１６ａに内蔵している。カメラヘッド１６はこの第５軸によって第４アーム１５の先端部に、図８の矢印Ｊで示すように、基台１１の設置面と垂直な面内で回転可能に組み付けられている。
【００２５】
モニターディスプレイ１７は前端部、軸心Ｋを有する第７軸を前端部１７ａに内蔵し、第７軸によって前後方向へ回動可能に基台１１に組み付けられている。そして、基台１１にはモニターディスプレイ１７を格納するためのモニターディスプレイ用格納凹部１１ｇが区画形成されている。
【００２６】
モニターディスプレイ１７は図１〜図７に示すように、基台１１のモニターディスプレイ用格納凹部１１ｇに倒伏する位置と、図８及び図９に示すように、モニターディスプレイ用格納凹部１１ｇから起立して基台１１の前端部から起立する起立位置との間で回動可能に基台１１に組み付けられている。モニターディスプレイ１７はモニターディスプレイ用格納凹部１１ｇに倒伏しているとき、基台１１の上面と略面一になるように形状、寸法が定められている。
【００２７】
第１アーム１２は図１、図２及び図３に示されるように、基台１１の上面に倒伏する位置と、図７及び図８に示すように、基台１１の前端部から起立して前傾する起立位置との間で回動可能に基台に組み付けられている。
【００２８】
第２アーム１３は図１に示すように、第１アーム１２の第２アーム用格納凹部１２ｄに倒伏する位置と、図２〜図７に示すように第２アーム用格納凹部１２ｄから起立し、図７に示すように、第１アーム１２の先端部から第１アーム１２と平行に延伸する位置との間で回動可能に第１アームに組み付けられている。
【００２９】
第３アーム１４と第４アーム１５及びカメラヘッド１６は図１に示すように、カメラヘッド用格納凹部１３ｃに倒伏する位置と、図２〜図７に示すように、カメラヘッド用格納凹部１３ｃから起立して、図７に示すように、第２アーム１３の先端部から基台１１の設置面と略平行となる屈折位置との間で回動可能に第２アーム１３の先端部に組み付けられている。
【００３０】
本実施例に係る書画カメラ１０の構造は以上の通りであって、次にその使用方法を説明する。
書画カメラ１０は、使用しないとき図１に示すように、モニターディスプレイ、第１アーム１２及び第２アーム１３並びに第３アーム１４と第４アーム１５及びカメラヘッド１６をそれぞれ倒伏位置にセットし、折り畳んだ状態で保管し、あるいは携帯する。折り畳むと第１アーム１２及び第２アーム１３並びに第３アーム１４と第４アーム１５及びカメラヘッド１６の上面が略面一になる。
【００３１】
書画カメラ１０で資料を撮像するには、図１に示すように、まずカメラヘッド１６に指を掛け、カメラヘッド１６を矢印Ｌ方向へ引き起こす。それに伴い、図２の矢印Ｍに示すようにカメラヘッド１６がカメラヘッド用格納凹部１３ｃから起き上がる。さらにカメラヘッド１６を引き起こすと、図３の矢印Ｎに示すように第２アーム１３が第２アーム用格納凹部１２ｄから起き上がり、続いて図４に示すように、第１アーム１２がモニターティスプレイ１７から起き上がる。このように、カメラヘッド１６を持ち上げるとカメラヘッド１６と第３アーム１４及び第４アーム１５と、第２アーム１３及び第１アーム１２がＺ字状に拡開する。続いて、図５〜図７に示すように、カメラヘッド１６と第３アーム１４及び第４アーム１５と、第２アーム１３及び第１アーム１２を回動操作するとともに、図８に示すように、必要に応じてモニターディスプレイ１７をモニターディスプレイ用格納凹部１１ｇから引き起こす。そして、モニターディスプレイ１７で画像を確認しながらカメラヘッド１６で資料を撮影する。
【００３２】
また、第１アーム１２が基台１１の右端部寄りでかつ、後端部寄りの部位に設けられているので、図９に示すように、引き起こしたモニターディスプレイ１７の裏側を通して第１アーム１２を基台１１に倒伏させ、第２アーム１３とカメラヘッド１６を起立させて、基台１１の周辺領域を撮影することもできる。
【００３３】
また、撮影後に、撮影画像を確認する場合、図１０に示すように、折り畳んだカメラヘッド１６と第３アーム１４及び第４アーム１５と、第２アーム１３とともに、第１アーム１２を起立したモニターディスプレイ１７の裏側を通って基台１１の上面に倒伏させることもできる。
【００３４】
本実施例に係る書画カメラ１０によれば、図１に示すように、第１アーム１２と第２アーム１３及びカメラヘッド１６を折り畳んだとき、第１アーム１２と第２アーム１３及びカメラヘッド１６が基台１１の上面の内に収まるように形状、寸法が定められているので、書画カメラ１０をコンパクトに折り畳むことができる。
また、第１アーム１２と第２アーム１３及びカメラヘッド１６を折り畳んだとき、第１アーム１２でモニターディスプレイ１７が略覆われるので、第１アーム１２がモニターディスプレイ１７のカバーとして機能する。そのため、保管するときや、運搬するときにモニターディスプレイ１７が傷つくのを防止できる。
【００３５】
第１アーム１２と第２アーム１３及びカメラヘッド１６を折り畳んだとき、第１アーム１２の上面と第２アーム１３の上面及びカメラヘッド１６の上面が略面一になるので、一層コンパクトに書画カメラ１０を折り畳むことができる。
【００３６】
モニターディスプレイ１７を基台１１と略面一な位置から起立させて、基台１１に立てることができるので、モニターディスプレイ１７を側方からも見易くセットできる。
【００３７】
カメラヘッド１６を持ち上げるとカメラヘッド１６と第２アーム１３及び第１アーム１２がＺ字状に拡開するので、簡単、迅速に書画カメラ１０を使用状態にセットでき、使い勝手が良い。
【００３８】
矢印Ｈで示すように、カメラヘッド１６を基台１１の設置面と平行な面内で回転させることができるので、基台１１の周辺領域を撮影するうえで、使い勝手が良くなる。
【００３９】
矢印Ｇで示すように、第１アーム１２を基台１１と平行な面内で回転できるので、撮影領域が広くなり、より使い勝手が向上する。
【００４０】
矢印Ｆで示すように、カメラヘッド１６を基台１１の設置面と垂直な面内で回転させることができるので、より使い勝手が向上する。
【符号の説明】
【００４１】
１０…書画カメラ
１１…基台
１１ｄ…操作部
１１ｇ…ディスプレイ用格納凹部
１２…第１アーム
１２ａ…支柱
１２ｃ…第１軸と第６軸を有するベース部
１２ｄ…第２アーム用格納凹部
１３…第２アーム
１３ａ…支柱
１３ｂ…第２軸を有するベース部
１３ｃ…カメラヘッド用格納凹部
１４…第３アーム
１４ａ…第３軸を有する基端部
１５…第４アーム
１５ａ…第４軸を有する基端部
１６…カメラヘッド
１６ａ…第５軸を有する基端部
１７…モニターディスプレイ
１７ａ…第７軸を有する前端部
【図１】
2020085978.tif 000003
【図２】
2020085978.tif 000004
【図３】
2020085978.tif 000005
【図４】
2020085978.tif 000006
【図５】
2020085978.tif 000007
【図６】
2020085978.tif 000008
【図７】
2020085978.tif 000009
【図８】
2020085978.tif 000010
【図９】
2020085978.tif 000011
【図１０】
2020085978.tif 000012
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
基台の上面にモニターディスプレイを設け、
基台の右端部又は左端部に第１軸を介して第１アームを基台の上面に倒伏する倒伏位置と、基台の右端部または左端部から起立する起立位置との間で左右方向へ回動可能に基台に組み付け、
第１アームの先端部に第２軸を介して第２アームを第１アームに倒伏する倒伏位置と、第１アームから起立する起立位置との間で左右方向へ回動可能に組み付け、
第２アームの先端部に第３軸を介してカメラヘッドを第２アームに倒伏する倒伏位置と、第２アームから起立する位置との間で左右方向へ回動可能に組み付け、
使用しないとき、第１アームと第２アーム及びカメラヘッドをそれぞれ倒伏位置に倒して折り畳み、
使用するときは第１アームと第２アーム及びカメラヘッドをそれぞれ起立位置へ起立させるようにした書画カメラであって、
第１アームに第２アームが倒伏して格納される第２アーム用格納凹部を形成し、
第２アームにカメラヘッドが倒伏して格納されるカメラヘッド用格納凹部を形成し、
第２アーム用格納凹部に第２アームを格納するとともにカメラヘッド用格納凹部にカメラヘッドを格納したとき、第１アームの上面と第２アームの上面及びカメラヘッドの上面が略面一になるようにし
基台にモニターディスプレイを格納するためのモニターディスプレイ用格納凹部を形成し、
モニターディスプレイをモニターディスプレイ用格納凹部に倒伏する倒伏位置とモニターディスプレイ用格納凹部から起立する起立位置との間で前後方向に回動可能に基台に組み付け、
モニターディスプレイをモニターディスプレイ用格納凹部に倒したとき、モニターディスプレイと基台の上面が略面一になるようにし、
第１アームと第２アーム及びカメラヘッドをそれぞれ倒伏位置に倒して折り畳んだとき、第１アームと第２アーム及びカメラヘッドが基台の上面の内に収まり、
かつそれぞれ倒伏位置に倒して折り畳んだ第１アームと第２アーム及びカメラヘッドによって、モニターディスプレイ用格納凹部に倒伏したモニターディスプレイが略覆われるようにしたことを特徴とする書画カメラ。
【請求項２】
倒伏位置にある第１アームと第２アーム及びカメラヘッドを、それぞれ起立位置へもたらすとき、カメラヘッドを持ち上げるとカメラヘッドと第２アーム及び第１アームが拡開することを特徴とする請求項１に記載の書画カメラ。
【請求項３】
前記第３軸を介して第３アームを第２アームに左右方向へ回動可能に組み付けるとともに、第４軸を介してカメラヘッドを基台の設置面と平行な面内で回動可能に第３アームに組み付けたことを特徴とする請求項１に記載の書画カメラ。
【請求項４】
第６軸を介して第１アームを基台と平行な面内で回転可能に基台に組み付けたことを特徴とする請求項１に記載の書画カメラ。
【請求項５】
第４軸を介して第４アームを第３アームに基台と平行な面内で回動可能に組み付け、第４軸に直交する第５軸を介してカメラヘッドを基台の設置面と垂直な面内で回転可能に第４アームに組み付けたことを特徴とする請求項３に記載の書画カメラ。
【手続補正２】
【補正対象書類名】明細書
【補正対象項目名】全文
【補正方法】変更
【補正の内容】
【発明の詳細な説明】
【技術分野】
【０００１】
本発明は書画カメラに関し、より詳しくは電源スイッチ、撮像レンズの焦点距離を調整するズーミングスイッチ、撮像レンズの焦点調整を行うオートフォーカススイッチ等の各種操作スイッチ類を配置した操作部を備えた基台にアームを回動可能に組み付け、アームの先端部にカメラヘッドを設け、基台の設置面に置いた書類や模型等の資料、あるいは基台の周辺領域をカメラヘッドで撮像し、その画像をモニターテレビ、ビデオプロジェクター、スマートフォン等で再生する書画カメラに関する。
【背景技術】
【０００２】
この種の書画カメラの一形式として、特開２０１６−２１９９３１号公報には、操作部を設けた基台の上面にモニターディスプレイを設け、撮像した画像をモニターディスプレイで確認できる書画カメラが開示されている。
この書画カメラでは、第１アームが基台の側面に重なり合う重畳位置と、基台の側面から起立する起立位置との間で左右方向へ回動可能に基台に組み付けられ、第２アームが第１アームに重なり合う重畳位置と第１アームから起立する位置との間で回動可能に第１アームの先端部に組み付けられ、カメラヘッドが第２アームに直交する軸を介して回転可能に第２アームの先端部に組み付けられている。
【０００３】
この書画カメラは、使用しないとき第１アームを基台の側面に重ね合わせ、さらに第２を第１アームに重ね合わせることができる。また、カメラヘッドを基台の前端面に重ね合わせることができるので、コンパクトな形態に折り畳むことができ、保管や運搬に便利である。
【先行技術文献】
【特許文献】
【０００４】
【特許文献１】特開２０１６−２１９９３１号公報
【発明の概要】
【発明が解決しようとする課題】
【０００５】
上記した従来の書画カメラは、折り畳んで保管するときや、運搬するとき、ディスプレイが基台の上面に露出しているので、モニターディスプレイが傷つき易い。
また、この書画カメラでは、モニターディスプレイが基台の上面と略面一に設けられているので、上方からは見易いものの、側方からは見難い。
さらにまた、この書画カメラでは、第１アームと第２アーム及びカメラヘッドが基台の側面や前面に重なり合うように折りたたまれるので、縦横の幅寸法が大きくならざるを得ない。
本発明は上記問題点に鑑みてなされたものであり、アームやカメラヘッドを折り畳んで保管するとき、あるいは運搬するときに基台の上面に設けたモニターディスプレイが傷つくのを防止でき、かつコンパクトな形態に折り畳むことができる書画カメラを提供することを目的とする。
また、上方からでも、側方からでも見やすいモニターディスプレイを備えた書画カメラを提供することを目的とする。
さらにまた、操作性に優れた書画カメラを提供することを目的とする。
【課題を解決するための手段】
【０００６】
請求項１に記載の発明は、
基台の上面にモニターディスプレイを設け、
基台の右端部又は左端部に第１軸を介して第１アームを基台の上面に倒伏する倒伏位置と、基台の右端部または左端部から起立する起立位置との間で左右方向へ回動可能に基台に組み付け、
第１アームの先端部に第２軸を介して第２アームを第１アームに倒伏する倒伏位置と、第１アームから起立する起立位置との間で左右方向へ回動可能に組み付け、
第２アームの先端部に第３軸を介してカメラヘッドを第２アームに倒伏する倒伏位置と、第２アームから起立する位置との間で左右方向へ回動可能に組み付け、
使用しないとき、第１アームと第２アーム及びカメラヘッドをそれぞれ倒伏位置に倒して折り畳み、
使用するときは第１アームと第２アーム及びカメラヘッドをそれぞれ起立位置へ起立させるようにした書画カメラであって、
第１アームに第２アームが倒伏して格納される第２アーム用格納凹部を形成し、
第２アームにカメラヘッドが倒伏して格納されるカメラヘッド用格納凹部を形成し、
第２アーム用格納凹部に第２アームを格納するとともにカメラヘッド用格納凹部にカメラヘッドを格納したとき、第１アームの上面と第２アームの上面及びカメラヘッドの上面が略面一になるようにし
基台にモニターディスプレイを格納するためのモニターディスプレイ用格納凹部を形成し、
モニターディスプレイをモニターディスプレイ用格納凹部に倒伏する倒伏位置とモニターディスプレイ用格納凹部から起立する起立位置との間で前後方向に回動可能に基台に組み付け、
モニターディスプレイをモニターディスプレイ用格納凹部に倒したとき、モニターディスプレイと基台の上面が略面一になるようにし、
第１アームと第２アーム及びカメラヘッドをそれぞれ倒伏位置に倒して折り畳んだとき、第１アームと第２アーム及びカメラヘッドが基台の上面の内に収まり、
かつそれぞれ倒伏位置に倒して折り畳んだ第１アームと第２アーム及びカメラヘッドによって、モニターディスプレイ用格納凹部に倒伏したモニターディスプレイが略覆われるようにしたことを特徴とする。
【０００７】
請求項２に記載の発明は、請求項１に記載の書画カメラにおいて、
倒伏位置にある第１アームと第２アーム及びカメラヘッドを、それぞれ起立位置へもたらすとき、カメラヘッドを持ち上げるとカメラヘッドと第２アーム及び第１アームが拡開することを特徴とする。
【０００８】
請求項３に記載の発明は、請求項１に記載の書画カメラにおいて、
前記第３軸を介して第３アームを第２アームに左右方向へ回動可能に組み付けるとともに、第４軸を介してカメラヘッドを基台の設置面と平行な面内で回動可能に第３アームに組み付けたことを特徴とする。
【０００９】
請求項４に記載の発明は、請求項１に記載の書画カメラにおいて、
第６軸を介して第１アームを基台と平行な面内で回転可能に基台に組み付けたことを特徴とする。
【００１０】
請求項５に記載の発明は、請求項３に記載の書画カメラにおいて、
第４軸を介して第４アームを第３アームに基台と平行な面内で回動可能に組み付け、第４軸に直交する第５軸を介してカメラヘッドを基台の設置面と垂直な面内で回転可能に第４アームに組み付けたことを特徴とする。
【発明の効果】
【００１１】
請求項１に記載の発明によれば、第１アームと第２アーム及びカメラヘッドを折り畳んだとき、第１アームと第２アーム及びカメラヘッドが基台の外周縁部内に収まるので、書画カメラをコンパクトに折り畳むことができる。
また、第１アームと第２アーム及びカメラヘッドを折り畳んだとき、第１アームでモニターディスプレイが略覆われるので、第１アームがモニターディスプレイのカバーとして機能する。そのため、保管するときや、運搬するときにモニターディスプレイが傷つくのを第１アームによって防止できる。
【００１２】
第１アームと第２アーム及びカメラヘッドを折り畳んだとき、第１アームの上面と第２アームの上面及びカメラヘッドの上面が略面一になるので、一層コンパクトに書画カメラを折り畳むことができる。
【００１３】
モニターディスプレイを基台と略面一な位置から起立させて、基台に立てることができるので、モニターディスプレイを側方からも見易くセットできる。
【００１４】
請求項２に記載の発明によれば、カメラヘッドを持ち上げるとカメラヘッドと第２アーム及び第１アームが拡開するので、簡単、迅速に書画カメラを使用状態にセットでき、使い勝手が良い。
【００１５】
請求項３に記載の発明によれば、カメラヘッドを基台の設置面と平行な面内で回転させることができるので、基台の周辺領域を撮影するうえで、使い勝手が良くなる。
【００１６】
請求項４に記載の発明によれば、第１アームを基台と平行な面内で回転できるので、撮影領域が広くなり、より使い勝手が向上する。
【００１７】
請求項５に記載の発明によれば、カメラヘッドを基台の設置面と垂直な面内で回転させることができるので、より使い勝手が向上する。
【図面の簡単な説明】
【００１８】
【図１】本発明の実施例に係る書画カメラの折り畳んだ形態を示す斜視図である。
【図２】同書画カメラの折り畳んだ形態から使用形態へ移行する途中の一形態を示す斜視図である。
【図３】同書画カメラの折り畳んだ形態から使用形態へ移行する途中の一形態を示す斜視図である。
【図４】同書画カメラの折り畳んだ形態から使用形態へ移行する途中の一形態を示す斜視図である。
【図５】同書画カメラの折り畳んだ形態から使用形態へ移行する途中の一形態を示す斜視図である。
【図６】同書画カメラの折り畳んだ形態から使用形態へ移行する途中の一形態を示す斜視図である。
【図７】同書画カメラの使用形態を示す斜視図である。
【図８】同書画カメラの他の使用形態を示す斜視図である。
【図９】同書画カメラの他の使用形態を示す斜視図である。
【図１０】同書画カメラの他の使用形態を示す斜視図である。
【実施例】
【００１９】
以下に本発明を図面に基づき説明するに、図１〜図１０には、本発明の実施例に係る書画カメラ１０が示されている。当該書画カメラ１０は基台１１、第１アーム１２、第２アーム１３、第３アーム１４、第４アーム１５及びカメラヘッド１６を備えている。
基台１１は、略長方形の平面形状を有する扁平な箱体であって上面にモニターディスプレイ１７が設けられている。基台１１の上面の前端部には電源スイッチ１１ａ、撮像レンズの焦点距離を調整するズーミングスイッチ１１ｂ、撮像レンズの焦点調整を行うオートフォーカススイッチ１１ｃ等の各種操作スイッチ類を供えた操作部１１ｄが設けられている。基台１１の前側側面には電源端子１１ｅや、モニターテレビ等との接続端子１１ｆが設けられている。
【００２０】
第１アーム１２は前後一対の支柱１２ａと底面カバー１２ｂ及び両支柱の基端部を連結するベース部１２ｃから成り、両支柱１２ａとベース部１２ｃ及び底面カバー１２ｂにより、第２アーム１３を格納するための第２アーム用格納凹部１２ｄ（図３参照）が区画形成されている。
第１アーム１２のベース部１２ｃには、軸心Ａを有する第１軸と軸心Ｂを有する第６軸が内蔵されている。第１アーム１２は、軸心Ａにより、基台１１に左右方向へ回動可能に組み付けられるとともに、軸心Ｂによって図８の矢印Ｇに示すように、基台１１の上面と平行な面内で回転可能に基台１１に組み付けられている。また、第１アーム１２は基台１１の右端部寄りでかつ、後端部寄りの部位に設けられている。
【００２１】
第２アーム１３は前後一対の支柱１３ａと両支柱１３ａの基端部を連結するベース部１３ｂから成り、両支柱１３ａとベース部１３ｂにより、第３アーム１４、第４アーム１５及びカメラヘッド１６を格納するためのカメラヘッド用格納凹部１３ｃが区画形成されている。
第２アーム１３のベース部１３ｂには軸心Ｃを有する第２軸が内蔵されている。第２アーム１３のベース部１３ｂは第１アーム１２の両支柱１２ａの先端部に組み付けられている。第２アーム１３は軸心Ｃを有する第２軸により第１アーム１２の先端部に左右方向へ回動可能に組み付けられている。
【００２２】
第３アーム１４は軸心Ｄを有する第３軸を基端部１４ａに内蔵している。第３アーム１４はこの第３軸によって第２アーム１３の先端部に左右方向へ回動可能に組み付けられている。
第４アーム１５は軸心Ｅを有する第４軸を基端部１５ａに内蔵している。第４アーム１５はこの第４軸によって第３アーム１４の先端部に図８の矢印Ｈで示すように、基台１１の設置面と平行な面内で前後方向へ回動可能に組み付けられている。
カメラヘッド１６は軸心Ｆを有する第５軸を基端部１６ａに内蔵している。カメラヘッド１６はこの第５軸によって第４アーム１５の先端部に、図８の矢印Ｊで示すように、基台１１の設置面と垂直な面内で回転可能に組み付けられている。
【００２３】
モニターディスプレイ１７は前端部、軸心Ｋを有する第７軸を前端部１７ａに内蔵し、第７軸によって前後方向へ回動可能に基台１１に組み付けられている。そして、基台１１にはモニターディスプレイ１７を格納するためのモニターディスプレイ用格納凹部１１ｇが区画形成されている。
【００２４】
モニターディスプレイ１７は図１〜図７に示すように、基台１１のモニターディスプレイ用格納凹部１１ｇに倒伏する位置と、図８及び図９に示すように、モニターディスプレイ用格納凹部１１ｇから起立して基台１１の前端部から起立する起立位置との間で回動可能に基台１１に組み付けられている。モニターディスプレイ１７はモニターディスプレイ用格納凹部１１ｇに倒伏しているとき、基台１１の上面と略面一になるように形状、寸法が定められている。
【００２５】
第１アーム１２は図１、図２及び図３に示されるように、基台１１の上面に倒伏する位置と、図７及び図８に示すように、基台１１の前端部から起立して前傾する起立位置との間で回動可能に基台に組み付けられている。
【００２６】
第２アーム１３は図１に示すように、第１アーム１２の第２アーム用格納凹部１２ｄに倒伏する位置と、図２〜図７に示すように第２アーム用格納凹部１２ｄから起立し、図７に示すように、第１アーム１２の先端部から第１アーム１２と平行に延伸する位置との間で回動可能に第１アームに組み付けられている。
【００２７】
第３アーム１４と第４アーム１５及びカメラヘッド１６は図１に示すように、カメラヘッド用格納凹部１３ｃに倒伏する位置と、図２〜図７に示すように、カメラヘッド用格納凹部１３ｃから起立して、図７に示すように、第２アーム１３の先端部から基台１１の設置面と略平行となる屈折位置との間で回動可能に第２アーム１３の先端部に組み付けられている。
【００２８】
本実施例に係る書画カメラ１０の構造は以上の通りであって、次にその使用方法を説明する。
書画カメラ１０は、使用しないとき図１に示すように、モニターディスプレイ、第１アーム１２及び第２アーム１３並びに第３アーム１４と第４アーム１５及びカメラヘッド１６をそれぞれ倒伏位置にセットし、折り畳んだ状態で保管し、あるいは携帯する。折り畳むと第１アーム１２及び第２アーム１３並びに第３アーム１４と第４アーム１５及びカメラヘッド１６の上面が略面一になる。
【００２９】
書画カメラ１０で資料を撮像するには、図１に示すように、まずカメラヘッド１６に指を掛け、カメラヘッド１６を矢印Ｌ方向へ引き起こす。それに伴い、図２の矢印Ｍに示すようにカメラヘッド１６がカメラヘッド用格納凹部１３ｃから起き上がる。さらにカメラヘッド１６を引き起こすと、図３の矢印Ｎに示すように第２アーム１３が第２アーム用格納凹部１２ｄから起き上がり、続いて図４に示すように、第１アーム１２がモニターディスプレイ１７から起き上がる。このように、カメラヘッド１６を持ち上げるとカメラヘッド１６と第３アーム１４及び第４アーム１５と、第２アーム１３及び第１アーム１２がＺ字状に拡開する。続いて、図５〜図７に示すように、カメラヘッド１６と第３アーム１４及び第４アーム１５と、第２アーム１３及び第１アーム１２を回動操作するとともに、図８に示すように、必要に応じてモニターディスプレイ１７をモニターディスプレイ用格納凹部１１ｇから引き起こす。そして、モニターディスプレイ１７で画像を確認しながらカメラヘッド１６で資料を撮影する。
【００３０】
また、第１アーム１２が基台１１の右端部寄りでかつ、後端部寄りの部位に設けられているので、図９に示すように、引き起こしたモニターディスプレイ１７の裏側を通して第１アーム１２を基台１１に倒伏させ、第２アーム１３とカメラヘッド１６を起立させて、基台１１の周辺領域を撮影することもできる。
【００３１】
また、撮影後に、撮影画像を確認する場合、図１０に示すように、折り畳んだカメラヘッド１６と第３アーム１４及び第４アーム１５と、第２アーム１３とともに、第１アーム１２を起立したモニターディスプレイ１７の裏側を通って基台１１の上面に倒伏させることもできる。
【００３２】
本実施例に係る書画カメラ１０によれば、図１に示すように、第１アーム１２と第２アーム１３及びカメラヘッド１６を折り畳んだとき、第１アーム１２と第２アーム１３及びカメラヘッド１６が基台１１の上面の内に収まるように形状、寸法が定められているので、書画カメラ１０をコンパクトに折り畳むことができる。
また、第１アーム１２と第２アーム１３及びカメラヘッド１６を折り畳んだとき、第１アーム１２でモニターディスプレイ１７が略覆われるので、第１アーム１２がモニターディスプレイ１７のカバーとして機能する。そのため、保管するときや、運搬するときにモニターディスプレイ１７が傷つくのを防止できる。
【００３３】
第１アーム１２と第２アーム１３及びカメラヘッド１６を折り畳んだとき、第１アーム１２の上面と第２アーム１３の上面及びカメラヘッド１６の上面が略面一になるので、一層コンパクトに書画カメラ１０を折り畳むことができる。
【００３４】
モニターディスプレイ１７を基台１１と略面一な位置から起立させて、基台１１に立てることができるので、モニターディスプレイ１７を側方からも見易くセットできる。
【００３５】
カメラヘッド１６を持ち上げるとカメラヘッド１６と第２アーム１３及び第１アーム１２がＺ字状に拡開するので、簡単、迅速に書画カメラ１０を使用状態にセットでき、使い勝手が良い。
【００３６】
矢印Ｈで示すように、カメラヘッド１６を基台１１の設置面と平行な面内で回転させることができるので、基台１１の周辺領域を撮影するうえで、使い勝手が良くなる。
【００３７】
矢印Ｇで示すように、第１アーム１２を基台１１と平行な面内で回転できるので、撮影領域が広くなり、より使い勝手が向上する。
【００３８】
矢印Ｆで示すように、カメラヘッド１６を基台１１の設置面と垂直な面内で回転させることができるので、より使い勝手が向上する。
【符号の説明】
【００３９】
１０…書画カメラ
１１…基台
１１ｄ…操作部
１１ｇ…ディスプレイ用格納凹部
１２…第１アーム
１２ａ…支柱
１２ｃ…第１軸と第６軸を有するベース部
１２ｄ…第２アーム用格納凹部
１３…第２アーム
１３ａ…支柱
１３ｂ…第２軸を有するベース部
１３ｃ…カメラヘッド用格納凹部
１４…第３アーム
１４ａ…第３軸を有する基端部
１５…第４アーム
１５ａ…第４軸を有する基端部
１６…カメラヘッド
１６ａ…第５軸を有する基端部
１７…モニターディスプレイ
１７ａ…第７軸を有する前端部